(57)【要約】【課題】巡回警備等において各出入口扉ごとに異なる多数本の鍵を携行することを防止するべく、簡易な構造で、とくに工事を必要とすることなく設置できる鍵保管箱を提供すること。【解決手段】出入口扉の鍵を内部に収納可能な箱本体１と、該箱本体１の開閉を規制する錠１１と、前記箱本体１から延設されて出入口扉の縁部を挟持するよう装着される固定部２とから構成した鍵保管箱として、出入口扉に簡易取り付け可能とすることで、出入口扉や壁面等を傷つける大がかりな設置工事を不要とした。【選択図】　　　図２
2004011145.tif 000002
【特許請求の範囲】
【請求項１】
内部に出入口扉の鍵を収納可能な箱本体と、該箱本体の開閉を規制する錠と、前記箱本体から延設されて出入口扉の縁部を挟持するよう装着される固定部とからなる鍵保管箱。
【発明の詳細な説明】
【０００１】
【発明の属する技術分野】
本発明は、施錠された出入口の扉を解錠するための鍵を保管する鍵保管箱に関する。
【０００２】
【従来の技術】
施設の管理会社や警備会社等が建物等の管理・警備業務を委託された場合、受託業務遂行の必要上から当該施設出入口の扉の鍵を預かることになる。ところが、施設によっては多数の扉に対応した多数本の異なる鍵があるし、受託業務を遂行する担当者が同時に複数の施設を巡回する場合もある。こうした場合には種類の異なる多数本の鍵を同時に携行しなければならず、作業効率の低下や盗難・紛失の危険性を生じるといった問題があった。
【０００３】
そこで受託業務担当者の負担軽減を図るため、重量のある金属製鍵に代えて磁気カードやＩＣカードによる解錠を可能としたり、特定のコード信号で解錠する電子錠を設置することも行われているが、複雑な装置の設置コストや維持コストの増大を招来する欠点があったし、また、既存施設に適用するためには設置工事作業に時間と費用がかかるほか、委託業務の内容変更や契約解消等が生じた場合にも施設を元の状態に戻すことが困難であるといった不都合があった。
【０００４】
こうした不都合を改善するべく、施設出入口の扉の鍵を保管する鍵保管箱ないしはキーボックスが提案されている。例えば、特開平１０−１２１７９９号で提案された鍵保管器は、内部に鍵を収納して建物の近傍や壁面に対して設置され、鍵保管器内に設けた受信手段と照合手段によって委託業務担当者が携行する非接触型ＩＣチップモジュールから送信されるコード信号を受信し、コードが一致した場合にのみ鍵の取り出しを可能としたものであった。また、実用新案登録第３０２６０８２号で提案されたキーボックスは、施錠された扉やその近傍の壁部材等に取り付けられて扉の開錠用鍵を収納するために用いられ、キーボックスの開錠には符号錠を用いることで、キーボックスについての鍵を不要としたものであった。
【０００５】
このように施錠されている扉自体やその付近において当該扉の解錠用鍵を保管することは一見危険なようにも思われるが、そもそも鍵保管箱の錠が破壊されて収納されている鍵が取られるということは、すなわち施錠されている出入口扉の錠も破壊され得ることになるから、扉の施錠が破られるという点での危険性は変わらないし、鍵保管箱を用いることによって得られる各扉固有の鍵を携行しなくてもよいというメリットの方が重要である。
【０００６】
【発明が解決しようとする課題】
しかしながら、前記登録実用新案に係るキーボックスは、あくまで出入口扉や付近の外壁に埋設することを前提としているため、やはり設置工事が大がかりになってしまう不都合があった。施設の所有者においても、壁や扉に穴を開けたり傷を付けることに抵抗感があることは否めない。そこで、本発明者は、簡易な構造で、とくに工事を必要とすることなく設置できる鍵保管箱について検討し、本発明を完成するに至った。
【０００７】
【課題を解決するための手段】
前記所期の課題解決のために、本発明に係る鍵保管箱は、内部に出入口扉の鍵を収納可能な箱本体と、該箱本体の開閉を規制する錠と、前記箱本体から延設されて出入口扉の縁部を挟持する固定部とから構成した。施錠される出入口の扉の縁部を挟持するように装着固定することで、鍵保管箱を壁や扉へ埋設したりビスで固着したりといった工事を不要としたのである。
【０００８】
装着対象となる出入口の扉は建物の内外いずれの場所にあるものでもよい。箱本体は容易に破壊し難いよう強固な金属製とするのが望ましい。また、開閉を規制する錠としては、施設の出入口に装着される複数個の鍵保管箱のすべてについて共通するマスターキーを用いることにしたり、階層単位や建物単位などのグループ毎に共通するマスターキーを用いることにしたり、あるいは鍵を一切不要とするべく符号錠を用いることにしてもよい。
【０００９】
固定部による出入口扉の挟持方法としては、出入口扉の内側（建物や部屋への進入側と反対側）からネジで締結することで扉の縁部に挟持固定する方法のほか、両面粘着テープや接着剤を用いて扉の縁部に接着固定する方法などが挙げられる。
【００１０】
【発明の実施の形態】
以下、図面に基づいて本発明を詳細に説明する。図１は本発明に係る鍵保管箱を出入口扉に装着した状態を示す図、図２は同鍵保管箱の一例を示す斜視図、図３及び図４は同鍵保管箱の側面図である。これらに図示されるように、本発明に係る鍵保管箱Ｋは、壁面Ｗに埋設されたりビス等で固定されるのではなく、出入口扉ＤにおけるドアノブＮ側の側縁部等を挟持するように装着固定され、出入口扉Ｄの錠Ｒを施錠・解錠するための鍵を内部に保管することになる。
【００１１】
図２ないし図４に示された例の鍵保管箱Ｋは、箱本体１と、該箱本体１から後方に延設された固定部２とから構成されており、箱本体１の前面側には箱本体１の開閉を規制する錠１１が設けられている。錠１１は複数個の鍵保管箱Ｋに共通するマスターキーに対応するものであって、この錠１１を解錠すると箱本体１からその前面部分が引き出され、内部から収納部１２が露出する。収納部１２内には、出入口扉Ｄにおける錠Ｒの鍵Ｒ１が収納される。本例では、錠１１のシリンダ部分（図示されていない）が占有する部分を考慮して、箱本体１の前面と左右側面および平面と底面の計５面からなる部分を前方にスライド可能としたが、錠１１の種類によっては、箱本体１の前面部分のみを引き出し式として内部に収納部１２を設けたり、あるいは箱本体１の前面部分を片開き扉として箱本体１内部をそのまま収納部１２としてもよい。
【００１２】
本例の鍵保管箱Ｋにおける固定部２は、箱本体１から後方に延設された側板２１と、該側板２１の後端縁から直角に屈曲された後板２２、及び該後板２２と平行な押さえ板２３を備える締結ネジ２４とから構成されている。箱本体１の後面と後板２２の間隔は、装着対象となる出入口扉Ｄの側縁部の厚み以上に設定され、締結ネジ２４を締め付けることにより箱本体１後面と押さえ板２３の間において出入口扉Ｄの側縁部画が挟持され、鍵保管箱Ｋの装着固定が図られる。
【００１３】
なお、鍵保管箱Ｋを装着固定する位置は図１に示されるドアノブＮの下方以外にも、通行や出入りの妨げにならない位置であれば、出入口扉Ｄの上縁部など様々な位置に装着固定しうる。
【００１４】
【発明の効果】
本発明に係る鍵保管箱は、対象となる出入口扉に対して直接簡単に取り付けられるので、複雑な設置工事が一切不要となる。また、出入口扉に装着する際にも、出入口扉自体や壁面を傷つけることがないので、撤去した後にも痕跡をも残さない。
【００１５】
そして、各出入口扉を施錠する鍵を当該扉に接する位置で保管することができるので、例えば巡回警備等において多数本の鍵を携行する必要がなく、警備員等の負担軽減や盗難・紛失の危険性を防止することができる利点が得られる。
【図面の簡単な説明】
【図１】本発明に係る鍵保管箱を扉に装着した状態を示す概略正面図である。
【図２】同鍵保管箱の一例を示す斜視図である。
【図３】図２の例の鍵保管箱の側面図である。
【図４】図２の例の鍵保管箱において収納部を引き出した状態の側面図である。
【符号の説明】
１　　箱本体
２　　固定部
１１　　錠
１２　　収納部
２１　　側板
２２　　後板
２３　　押さえ板
２４　　締結ネジ
Ｋ　　鍵保管箱
Ｎ　　ドアノブ
Ｒ　　錠
Ｗ　　壁面
【図１】
2004011145.tif 000003
【図２】
2004011145.tif 000004
【図３】
2004011145.tif 000005
【図４】
2004011145.tif 000006